(57)【特許請求の範囲】
【請求項１】
合成樹脂材料から一体成形する表半部と裏半部と、該表半部と裏半部とを開閉自在に連結するヒンジ部と、該表半部と裏半部とを閉じた状態に維持するクリックストッパとを備え、前記表半部と裏半部とは、閉じたときに一対の箸先端部を収納して拘束可能とした収納室の開口部は、横幅寸法と縦幅寸法との寸法比率を２対１から１対１の範囲とし、前記開口部側から奥側に向かって横幅をテーパ状に細く形成し、前記ヒンジ部は、キャップ状体の側面に位置して前記表半部と裏半部とが横並びとなるように開くとともに、前記ヒンジ部の反対側では凹凸掛止としたクリック掛止部によって、互いに相手部材を掛止・開放を可能とし、該開放によって箸を取り出し自在とした箸携帯用キャップ状体において、
前記表半部と裏半部とのいずれか一方の前記開口部側に、該開口部の横幅と同等の幅とした正面視で略四角形のつまみ舌片を突出状に一体形成し、該つまみ舌片を一方側の手でつかみ、他方側の手で前記クリック掛止部を引き上げるとともに、その引き上げ方向とは逆方向に前記つまみ舌片を捻るように同時に回動させることによって、前記表半部と裏半部とが横並びとなるように開くこと、を特徴とする、
箸携帯用キャップ状体。
【請求項２】
前記キャップ状体を形成する表半部と裏半部とのいずれか一方、または、その両者に箸の先端を位置決めする突起を設け、該突起と側面とで形成される隙間に箸の先端を挿し込み、該箸を楔状に保持させるようにしたこと、を特徴とする、
請求項１記載の箸携帯用キャップ状体。
【発明の詳細な説明】
【技術分野】
【０００１】
本発明は、箸の先端部のみを覆い、嵩張らない大きさに形成することによって、携帯性を損ねないようにしながらも、箸全体を収納する箸箱と同様に、使用前の箸の衛生性を保ち、使用後における箸付着物の他の物品への再付着を防止する機能を有し、しかも携帯を容易とした箸携帯用のキャップ状体に関する。
【０００２】
近年、環境問題に対する取り組みの一環として、一般の会社における社員食堂等では割り箸を配備しない食堂が増加している。このような職場では、弁当を持参するにしても、食堂業務として提供される料理を注文するにしても、箸の携帯を欠かすことができない。
【０００３】
従来、箸の携帯には、箸箱が利用されている。箸箱の通常の形態は、上面開放の細長い箱本体にスライド動作する蓋板を取り付けたもの、および、外箱と引き出し式の内箱とからなるものであり、箸箱のサイズは、箸のサイズの多様性に一定の範囲で対応することができるように余裕をもったサイズに設定されている。したがって、コンパクトにデザインされた弁当箱とともに箸箱を包装しようとすると、箸箱の一端が突出してしまい、極めて包装しづらく、包装外観も良いとはいえない。また、箸箱内で、箸と箸とがぶつかり合う極めてスマートではない独特の携帯音を発する。さらに、使用後の洗浄もしづらく、繰り返しての使用において、蓋板をスライド動作させるためのスライド溝内や、箱内部の角隅部に落ちにくい汚れが沈着してくるという不衛生な問題もある。
【０００４】
これらの問題に対して、従来次のような提案がなされている。
【特許文献１】実用新案登録第３００７５４６号公報
【特許文献２】実開昭６４−５１０８９号公報
【特許文献３】実開平３−３５７７８号公報
【特許文献４】実開平４−５１２６８号公報
【特許文献５】特開平１１−３１８６７４号公報
【特許文献６】特開２０００−２２６０８５号公報
【特許文献７】特開２００４−４９５８２号公報
【発明の開示】
【発明が解決しようとする課題】
【０００５】
上記提案は、ＩＰＤＬ（特許電子図書館）により合成樹脂製の箸キャップを検索し、その抽出した中から例示的に掲示したものであるが、類型的に見ると明らかに使い捨てにするもの（特許文献６参照）と、明らかに使い捨てにするとは言い難いが、繰り返し使用の前提となる洗浄作業が困難であるもの（特許文献１，２参照）、分割構造または伸縮構造の特殊な箸の使用を前提としていることによって、通常の箸に用いることが困難であるもの（特許文献３，５参照）、特殊なデザインを採用するものであって、日常の使用がはばかられるもの（特許文献４参照）等に分類することができる。これらは、それぞれ、環境問題に対する配慮に欠ける、繰り返し使用上の衛生確保が困難である、実用的でない等の問題を有する。
【０００６】
なお、特許文献７に示す箸携帯用のキャップ状体は、本願の出願人自身による先案であって、本願は、この先案の改良という位置付けであるので、現実の使用過程における先案の問題点を以下に説明する。
【０００７】
特許文献７のキャップ状体は、一対の箸の先端部に外側から嵌め込むようにして使用するコンパクトなものである。しかし、この形式のキャップ状体は、何らかの工夫をしない限り、容易に嵌め込んだ部分から脱落するという問題がある。箸は、断面が丸形か多角形であるかにかかわらず、先細りテーパ形状であるからである。そして、先案にかかるキャップ状体には、この問題に対する巧妙な工夫がなされていたのである。
【０００８】
すなわち、先案のキャップ状体は、上下に重ね合わせたときに内部に箸を収納するための収納室を形成する略対称形状の表半部と裏半部とからなる。表半部と裏半部とは、別体成形でなく、薄膜状に形成するヒンジ膜部を介して連続するように一体成形する。ヒンジ膜部は、軸支持構造ではないものの、その容易屈曲性によってヒンジ構造と同等の機能を発揮するものである。このヒンジ構造では、複数回の繰り返し屈曲によっても表半部と裏半部とが分離しないようになっているが、その部分的な薄い成形が困難であるため、全体的にも比較的薄い成形がされている。
【０００９】
このヒンジ膜部は、キャップ状体の一方の側面に位置し、表半部と裏半部とは、ヒンジ膜部を中心として表半部が１８０度回動することによって横並び状態に開閉できる。例えれば、マテ貝の貝殻のような開閉構造である。また、キャップ状体の他方の側面には、凹凸嵌め合い構造のクリックストッパが設けられ、表半部と裏半部の閉状態を維持できるようになっている。
【００１０】
このような開閉構造においては、キャップ状体の内部から上下方向に拡張力が加わると、キャップ状体が容易に開いてしまう反面、横幅方向の、つまりヒンジ膜部とクリックストッパとを結ぶ線方向の拡張力が作用して、キャップ状体は開かないように機能する。一対の箸の断面は、丸形であっても多角形であっても、一対全体としての断面の横幅寸法と縦幅寸法との比率は、いずれの断面位置においても２：１の比率となる。そこで、先案の箸携帯用のキャップ本体においては、このことに着目し、キャップ本体内に形成される収納室の開口部での横幅寸法と縦幅寸法との比率を２：１から１：１の範囲に設定することによって、キャップ状体内に箸を挿し込んだ際の拡張力を幅方向のみに作用させ、いわば、一対の箸先端部の楔作用を利用することによって、キャップ状体が箸先端部から離脱するのを防止するようにしていたのである。ただし、上記２：１および１：１の比率は、限界的範囲であるので、現実には、その中間値を採用するのが好ましいことは言うまでもない。
【００１１】
しかし、上記従来の箸携帯用のキャップ状体においては、ヒンジ膜部の柔軟性のため薄い板厚で成形されているから、箸を挿し込み楔効果を得ようとすると、キャップ状体が不用意に開いてしまうようになるとともに、さらには、キャップ状体の閉状態を実現することができなくなるという問題を生じた。また。別の問題としては、キャップ状体が全体として細長い筒状であるから、爪掛け部が準備されているものの、洗浄に際して、特に手に洗剤が付着しているような場合には、キャップ状体を開き難いという扱い上の問題があった。そこで、この問題の原因を究明するに、キャップ状体の閉状態の不安定は、ヒンジ膜部の疲労と板厚の薄さが重なったことによって、開閉動作上の支点位置の不安定によるものであり、キャップ状体を開き難いのは、爪掛け部を操作する手と反対側の手を掛ける部分がないためであることが判明した。
【００１２】
本発明は、上記従来製品から提出された問題点の原因を究明することによってなされたものであり、従来製品が有するコンパクトで携帯に便利であって、二つ割り状態に開いて洗浄することによって、繰り返して衛生的に活用することができるという利点を減殺することなく、使用中でも箸置きとして利用でき、箸先に対する係合性の長期安定化を図るとともに、開動作の容易性を高めた箸携帯用キャップ状体を提供することを目的とする。
【課題を解決するための手段】
【００１３】
この目的を達成するための手段として、本発明は、次のような構成を採用している。
【００１４】
合成樹脂から一体成形する表半部と裏半部と、その表半部と裏半部とを開閉自在に連結するヒンジ部と、表半部と裏半部とを閉じた状態に維持するクリックストッパとを備え、表半部と裏半部とは、閉じたときに一対の箸先端部を収納して拘束可能とした収納室の開口部は、横幅寸法と縦幅寸法の寸法比率を２：１から１：１の範囲とし、開口部側から奥側に向かって横幅をテーパ状に細く形成し、ヒンジ部は、キャップ状体の側面に位置して表半部と裏半部とが横並びとなるように開くとともに、ヒンジ部の反対側では凹凸掛止としたクリック掛止部によって互いに相手部材を掛止・開放を可能とし、その開放によって箸を取り出し自在とした箸携帯用キャップ状体において、表半部と裏半部とのいずれか一方の開口部側に、その開口部の横幅と同等の幅とした正面視で略四角形のつまみ舌片を突出状に一体成形し、そのつかみ舌片を一方側の手でつかみ、他方側の手でクリック掛止部を引き上げるとともに、その引き上げ方向とは逆方向につまみ舌片を捻るように同時に回動させることによって、表半部と裏半部とが横並びとなるように開くことを第１の特徴としている。
【００１５】
このキャップ状体は、表半部と裏半部とを別々に成形され、ヒンジ連結部を表半部のヒンジ連結部と裏半部のヒンジ連結部との突設する軸と、中間軸部を挟むように位置する表半部の両端軸部に設ける軸孔との嵌め合いによる有軸のヒンジ連結としているので、この連結部を成形するため先案のヒンジ部とは異なり、部分的にも厚さが大きくなるから、必然的に表半部および裏半部の全体の板厚は厚くなる。したがって、凹凸によるクリック掛止も固い掛止が可能になり、箸先端を突っ込むように挿し込んでも変形する量が小さくなるので、安易にクリック掛止を開放することが避けられる。また、掛止するときも、凸部が凹部に落ち込み掛止するから、その掛止音が「ピシッ」と響き、完全な掛止が確認しやすくなる。
【００１６】
そして、このような固い掛止であるので、つかみ舌片を設けることによって、必要に応じてそのつかみ舌片を一方側の手でつかみ、他方側の手で掛止部の部分に爪先で割り込むように挿入しながら引き上げ、同時にその引き上げとは逆方向につまみ舌片を捻るように回動させることによって、固い摩擦係合から、凸部を凹部から脱出させることができるのである。
【００１７】
また、キャップ状体を形成する表半部と裏半部とのいずれか一方、または、その両者に箸の先端を位置決めする突起を設け、その突起と側面とで形成される隙間に箸の先端を挿し込み、箸を楔状に保持させることができるようにしている。
【００１８】
箸には、太さが一様ではないことは、既に説明しているが、このキャップ状体内に箸を挿し込み収納したとき、キャップ状体との間にがたつきがある場合は、持ち歩くときに箸またはキャップ状体のいずれかが脱落する可能性はある。その脱落を防止することによって、持ち歩く箸の安全性、衛生性を高めることができる。そして、箸先端のテーパと三角形状の位置決め突起のテーパとが接触して、側面側に押しつけその側面はクリック掛止を有効になるよう楔効果を発揮する。さらには、極端に箸先端側で細い箸（例えば、特許文献３に開示された第１図のような箸先端部分）等にあっても、有効に利用できる。
【００１９】
キャップ状体の内部に形成される開口部の横幅寸法と縦幅寸法の比率は、２：１ないし１：１の比率であって、２：１の場合と１：１の場合を含まない角形に設定されている。これに対して、横並び状体の一対の箸の横幅寸法と縦幅寸法の比率は、２：１であることから、開口部から箸収納室内に挿し込まれた箸の楔効果による拡張力は、横幅方向のみ、つまり、キャップ状体の左右の側面を内部から押す向きに作用し、表半部と裏半部を開く上下方向には作用しない。また、キャップ状体に箸を挿し込むと表半部と裏半部の内側面に設けられている位置決め突起が一対の箸の先端部に割り込んでキャップ状体の側面側に押しつけるように付勢する。そこで、キャップ状体を閉状態に維持しているクリック掛止部は、挿し込まれた箸の楔作用と位置決め突起による拡張力によって掛止動作を強める方向に働き、したがって、挿し込まれた力に応じてキャップ状体と安定に摩擦係合することができる。
【発明の効果】
【００２０】
本発明の箸携帯用キャップ状体は、表半部と裏半部とが開閉動作をするためのヒンジ連結部として、軸と軸孔との嵌め合いによる有軸構造のヒンジ連結部、つまり、開閉動作の支点が明確であって、反復使用による支点移動の恐れがあり得ない構造としているので、その連結部を厚い構造で成形され、その連結部を形成する表半部と裏半部の全体を板厚の厚い構成とされるため、全体の剛性が向上し、クリック掛止部は、挿し込まれた箸の楔効果によって掛止力を強められるが、つかみ舌片を開口部と同等幅として設けているので、固い摩擦係合にかかわらず凹凸係合から、凸部側をそのつかみ舌片の回動によって凹部から脱出させ、表半部と裏半部とを横並びさせることができる。
【００２１】
さらには、つかみ舌片が開口部の前方に形成しているので、箸を箸収納室に挿入するさいの案内部分となり、その挿入動作がし易く、かつ、使用中に箸置きとして利用する一対の突出部とともに、挿入する箸に対するキャップ状体を保持する手の掛止めとなり、箸を挿し込んで楔効果を得て、固い結合をさせるのに役立つ。
【００２２】
箸収納室内に箸先端で割り込み可能な突起を設けることによって、クリック掛止部に対して横方向に作用するようにしているので、長期の多数回使用であっても、その開閉操作に耐えて安定で確実な固い摩擦係合を確保でき、洗浄のように、洗剤を手にしているような場合でも、凹凸からなるクリック掛止を解くことができるから、より多数回の使用を可能にし、衛生性の向上は必定である。
【発明を実施するための最良の形態】
【００２３】
以下、図面を引用しながら本発明の実施の形態を説明する。
【００２４】
箸携帯用キャップ状体は、合成樹脂材料としてＡＢＳ、ＰＥ、ＰＰ等の一般的なものが使用され、個々に射出成形する表半部１１と裏半部１２とヒンジ連結部１３を介して開閉自在に連結している（図１，図５，図６）。表半部１１には、開閉操作用のつまみ舌片１１Ａが一体に成形され、つまみ舌片１１Ａは開口部Ｒ１の横幅よりも僅かに大きく、外観では四角形に一体成形されている。本図示例では、表半部１１の開口部Ｒ１側に設けているが、裏半部１２側につまみ舌片１１Ａを設けるように設計しても、機能的には同じである。表半部１１と裏半部１２とは、それぞれヒンジ連結部１３、または、クリック掛止部１４を一体成形され、このつまみ舌片１１Ａも、表半部１１と同時に成形するので、全体としては成形板厚を厚くして、各々の動作に適合するように剛性を高めてある。
【００２５】
表半部１１および裏半部１２は、いずれも先細りテーパ状の浅い樋状に形成され、向かい合わせ状態に合致させることによって、キャップ状体１０としての上面１０Ｕと下面１０Ｂ、左右の側面１０Ｓ，１０Ｓからなるキャップ状体１０を形成する（図２，図３）。それによって、開口部Ｒ１を有する箸収納室Ｒが形成される。なお、箸収納室Ｒが形成された状態が、キャップ状体１０の閉状態であって、使用可能な状態でもある。キャップ状体１０の長さは、一般的な箸の二分の一ないし三分の一程度の全長に設定される。また、キャップ状体１０の上面１０Ｕには、適度の間隔を保って、一対の突出部１５，１５が一体に形成されている（図３，図４）。この突出部１５，１５は、箸置きとして利用するときに有効である。
【００２６】
ヒンジ連結部１３は、形成されたキャップ状体１０の一方の側面１０Ｓ側に位置し、キャップ状体１０を横並び状態に開閉することができる（図１，図４）。また、キャップ状体１０の他方の側面１０Ｓには、キャップ状体１０の閉状態を係脱自在に維持するためのクリック掛止部１４が設けられている（図１，図２，図４，図６）。
【００２７】
さらに、ヒンジ連結部１３は、表半部１１のヒンジ連結部１３と裏半部１２のヒンジ連結部１３とのいずれか一方、本実施の形態においては、裏半部１２の中間軸部３Ｊ，３Ｊと、中間軸部３Ｂを挟むように位置する表半部１１の両端軸部３Ａ，３Ａに設ける軸孔３Ｈ，３Ｈとの嵌め合いによる有軸のヒンジ連結部１３である。なお、軸３Ｊ，３Ｊは、中間軸部３Ｂと一体成形され、両端軸部３Ａ，３Ａの軸孔３Ｈ，３Ｈとの嵌め合いは、材料の弾性変形を利用して行われる。すなわち、無理嵌め手段によって行っている。しかし、使用する合成樹脂材料によっては、軸３Ｊ，３Ｊとして金属製のものを中間軸部３Ｂの両端部に進退自在に埋設することも可能である。
【００２８】
ついで、クリック掛止部１４は、表半部１１１と裏半部１２のいずれか一方のクリック掛止部１４、本実施の形態においては、裏半部１１のクリック掛止部１４に弾性揺動自在に突設する掛止凸部４Ｂ付きの掛止舌片４Ａと、表半部１１のクリック掛止部１４に設ける掛止凹部４Ｈを有するクリック掛止部１４であって、この掛止部１４は、掛止凹部４Ｈ内に掛止凸部４Ｂが突出する状態で入り込むことによって、表半部１１と裏半部１２との閉状態を維持することができる（図２，図８）。
【００２９】
キャップ状体１０内に形成される箸収納室Ｒにおける開口部Ｒ１は、角隅部分をアール面とした略角形とされ、その横幅寸法Ｈ１と縦幅寸法Ｖ１との寸法比率は、２：１から１：１の範囲の寸法比率に寸法設定されている（図７）。ただし、２：１の場合と、１：１の場合を含まないものとする。なお、キャップ状体１０の外形は、先細りに形成されているのであるが、箸収納室Ｒ全体は、いずれの部分においてもこの寸法比率内に収まるように配慮して、キャップ状体１０の外形にしたがった先細りに形成されている。
【００３０】
このような箸携帯用キャップ状体は、キャップ状体を閉じた状態とした後、箸収納室Ｒ内に揃えた箸Ｔ，Ｔを挿し込む要領で使用する。揃えられた箸Ｔ，Ｔの横幅寸法と縦幅寸法の比率は、いずれの部分においても略２：１の比率であることから、開口部Ｒ１から箸収納室Ｒ内に挿入された箸Ｔ，Ｔは、キャップ状体１０の上面１０Ｕとの間に余裕の空隙を残す状態において左右の側面１０Ｓ，１０Ｓに当接する（図７，図８）。
【００３１】
箸収納室Ｒ内に挿し込まれた箸Ｔ，Ｔは、一種の楔としてとして機能し、キャップ状体１０の左右の側面１０Ｓ，１０Ｓに対して拡張力Ｆ，Ｆを及ぼすように作用し、特にクリック掛止部１４の係合摩擦力を増強するように働く。そして、板厚を厚くして剛性を高めてあるので、クリック掛止部１４の掛止舌片１４Ａでの掛止力を付勢するように機能し、その摩擦係合をより保持するようになっている。さらに、クリック掛止部１４は、箸Ｔ，Ｔの存在によって閉状態にロックされ、したがって、箸Ｔ，Ｔを抜き取らない限り、キャップ状体１０が携帯中に不用意に開いてしまうという不都合は確実に解消される。
【００３２】
なお、キャップ状体１０の上面１０Ｕに形成した一対の突出部１５，１５は、食事中にキャップ状体１０を箸置きとして利用する際の箸Ｔ，Ｔの横滑りを防止する機能を有する（図４）。また、このつまみ舌片１１Ａは大きな平面を有するので、適切な加飾を施すこともでき、商標の表示、広告の表示等に利用することができる。この大きさが大きなつまみ舌片１１Ａを持って、開口部Ｒ１側から箸Ｔ，Ｔを、挿し込むときに、その表面が箸Ｔ，Ｔを案内部となり、その挿し込みを容易にさせる。さらには、突出部１５は、指がかかり易いので、箸Ｔ，Ｔの挿し込みの時に同様に手かかりとなるから、キャップ状体１０と箸Ｔ，Ｔとの固い楔効果が得られる。
【００３３】
そして、楔効果によって固く掛止されたキャップ状体１０は、一側の手でつまみ舌片１１Ａを持って、他側の手でクリック掛止部１４に爪を立てるようにして引き起こし側に起こし、同時につまみ舌片１１Ａをその反対側に回動させると、凹凸係合した掛止を容易に解除することができるのである。すなわち、つまみ舌片１１Ａは、楔効果を得るためにも、その楔効果を解除するためにも、つまみ舌片１１Ａは重要な部分でもある。
【００３４】
図５に示すキャップ状体１０は、その奥部に三角形の山高形状とした位置決め突起１２Ｃを設けている。これは、箸Ｔ，Ｔの先端側で細くなっているものや、丸形の竹製の箸Ｔ，Ｔの先端側に見られる先端のみテーパ状になっているもの、予め形成された収納室Ｒの横幅Ｈ１が箸Ｔ，Ｔよりも小さい場合であっても、その箸Ｔ，Ｔの先端で割り込ませるようにしたものである。位置決め突起１２Ｃのテーパと、側面１２Ｓのテーパとの間に形成される隙間Ｓに箸Ｔ先端が挿し込まれ、楔状に固定される。この固定によって、箸Ｔ先端が楔として側面１２Ｓを外方向に押すことになるので、前記図７，図８で説明したと同様の効果が得られ、固い掛止が得られる。なお、位置決め突起１２Ｃは、裏半部１２側に設けているが、表半部１１側に設けても良く、図示例では、位置決め突起１２Ｃの高さは、表半部１１と裏半部１２の合計した内部の高さとしている。
【００３５】
図６に示す実施例は、表半部１１側と裏半部１２側とにそれぞれ同一高さとした位置決め突起１１Ｂおよび１２Ｂを設置した場合を示している。この場合は、図７，図８で説明したように側面１０Ｓ，１０Ｓとの接触で、箸Ｔの楔効果はクリック掛止部１４に対して係合を保証する。
【００３６】
以上、説明してきたように、本発明は、成形品自体の剛性を向上させ、そのための工夫をしたものである。そして、剛性の向上による取り扱いの不便をつかみ舌片１１Ａを設けることによって、一挙に解決したものである、と断言でできる。
【図面の簡単な説明】
【００３７】
【図１】本発明の実施の形態を示す図面。
【図２】本発明の実施の形態を示すキャップ本体の斜視図。
【図３】図２における裏面側を示す斜視図。
【図４】本発明のキャップ状体を箸置きとした場合を示す斜視図。
【図５】本発明の実施の一例の内部を示す図面。
【図６】上記実施例の異なる実施例のキャップ状体の内部を示す図面。
【図７】上記実施例におけるキャップ状体と箸との関係を示す断面図。
【図８】上記同様に、キャップ状体と箸との関係を示す断面図。
【符号の説明】
【００３８】
Ｔ        箸
Ｒ        箸収納室
Ｒ１      開口部
Ｓ        隙間
Ｈ１      横幅寸法
Ｖ１      縦幅寸法
３Ｊ      軸
３Ｈ      軸孔
４Ａ      掛止舌片
４Ｂ      掛止凸部
４Ｈ      掛止凹部
１０      キャップ状体
１０Ｓ    側面
１１      表半部
１１Ａ    つまみ舌片
１１Ｂ    位置決め突起
１１Ｃ    位置決め突起
１２      裏半部
１２Ｂ      位置決め突起
１２Ｃ      位置決め突起
１２Ｓ      側面
１３        ヒンジ連結部
１４        クリック掛止部
【要約】
【課題】 嵩張らずに携帯可能であって、剛性を高めて閉じた状態のキャップ状体を開きやすくした。
【解決手段】  表半部１１と裏半部１２とを支点位置が明確であって、耐久性がある有軸のヒンジ連結部１３を介して開閉自在に連結し、開閉自在のキャップ状体１０を形成する。そのヒンジ連結部１３の設置に伴いクリック掛止部１４も同時に成形するため、必然的に全体の板厚を厚くして剛性を向上させるので前記ヒンジ連結部１３とクリック掛止部１４との係合掛止が向上し、特に開こうとするときに困難な作業となるので、つかみ舌片１１Ａを設置して、開口部Ｒ１から箸Ｔ，Ｔを挿し込み易くして楔効果を得られるようにし、かつ、キャップ状体１０の閉状態から開放し易くしたものである。
【選択図】  図１【図１】
0004153979.tif 000002
【図２】
0004153979.tif 000003
【図３】
0004153979.tif 000004
【図４】
0004153979.tif 000005
【図５】
0004153979.tif 000006
【図６】
0004153979.tif 000007
【図７】
0004153979.tif 000008
【図８】
0004153979.tif 000009